(57)【要約】【課題】コストが安い、フィルタの調整をする手間が要らない、第１映像と第２映像を切替えて、又は同時に表示できる表示装置を提供する。【解決手段】表示部２６と、前記表示部２６を制御する制御部１２と、前記制御部１２に接続された入力部１４と、Ｓ−ＶＨＳ信号が入力される第１端子１１と、複合ビデオ信号が入力される第２端子１３とを備え、前記入力部１４に選択的に入力される事により、前記制御部１２は前記表示部２６に対し、前記Ｓ−ＶＨＳ信号による第１映像と、前記複合ビデオ信号による第２映像を切り替える。更に、前記入力部１４にＳ−ＶＨＳ優先設定が入力された場合、前記制御部１２は前記表示部２６に対し、前記第１映像を優先して表示させる。【選択図】図３
2005109820.tif 000002
【特許請求の範囲】
【請求項１】
表示部と、前記表示部を制御する制御部と、前記制御部に接続された入力部と、Ｓ−ＶＨＳ信号が入力される第１端子と、複合ビデオ信号が入力される第２端子とを備え、前記入力部に選択的に入力される事により、前記制御部は前記表示部に対し、前記Ｓ−ＶＨＳ信号による第１映像と、前記複合ビデオ信号による第２映像を切り替える事を特徴とする表示装置。
【請求項２】
前記入力部にＳ−ＶＨＳ優先設定が入力された場合、前記制御部は前記表示部に対し、前記第１映像を優先して表示させる事を特徴とする請求項１の表示装置。
【請求項３】
前記入力部に先入力設定が入力された場合、前記制御部は前記表示部に対し、前記Ｓ−ＶＨＳ信号と前記複合ビデオ信号の中で、先に入力された信号に従う映像を、優先して表示させる事を特徴とする請求項１の表示装置。
【請求項４】
前記入力部にＳ−ＶＨＳ設定が入力され、又は、複合ビデオ設定が入力された場合は、前記制御部は前記表示部に対し、各々の前記入力に従う前記第１映像または前記第２映像を表示させる事を特徴とする請求項１の表示装置。
【請求項５】
表示部と、前記表示部を制御する制御部と、前記制御部に接続された入力部と、Ｓ−ＶＨＳ信号が入力される第１端子と、複合ビデオ信号が入力される第２端子とを備え、前記入力部に複数映像設定が入力された場合、前記制御部は前記表示部に対し、前記Ｓ−ＶＨＳ信号による第１映像と、前記複合ビデオ信号による第２映像とによる、ピクチャーインピクチャーを表示させる事を特徴とする表示装置。
【請求項６】
前記ピクチャーインピクチャーは、前記第１映像の中に前記第２映像が小窓で表示され、又は、前記第２映像の中に前記第１映像が小窓で表示され、又は、前記第１映像および前記第２映像が上下方向に同時に表示され、又は、前記第１映像および前記第２映像が左右方向に同時に表示される事を特徴とする請求項５の表示装置。
【発明の詳細な説明】
【技術分野】
【０００１】
本発明は表示装置に関する。
【背景技術】
【０００２】
従来、この種の表示装置は例えば、特許文献１に示されている。この装置では、複合ビデオ信号から、色信号を抽出および除去するフィルタと、これらのフィルタの調整方法が示されている。
【特許文献１】特開平５−２６０４９９号公報
【発明の開示】
【発明が解決しようとする課題】
【０００３】
この様に、上記装置では、フィルタ等の部品を追加するので、コストが高くなる、第１の欠点がある。更に、フィルタの調整をするので、調整する手間がかかる、第２の欠点がある。
【０００４】
そこで、近年の表示装置では、Ｓ−ＶＨＳ信号が入力される第１端子と、複合ビデオ信号が入力される第２端子が設けられている。そして、Ｓ−ＶＨＳ信号による第１映像（画質が良い）を、自動的に優先して表示させている。そのため、複合ビデオ信号による第２映像（画質が悪い）と、第１映像を任意に切替えて、表示できない、第３の欠点がある。
【０００５】
そこで、本発明はこの様な従来の欠点を考慮して、コストが安い、フィルタの調整をする手間が要らない、第１映像と第２映像を切替えて、又は同時に表示できる表示装置を提供する。
【課題を解決するための手段】
【０００６】
上記課題を解決するために、請求項１の本発明では、表示部と、表示部を制御する制御部と、制御部に接続された入力部と、Ｓ−ＶＨＳ信号が入力される第１端子と、複合ビデオ信号が入力される第２端子とを備え、入力部に選択的に入力される事により、制御部は表示部に対し、Ｓ−ＶＨＳ信号による第１映像と、複合ビデオ信号による第２映像を切り替える。
【０００７】
請求項２の本発明では、入力部にＳ−ＶＨＳ優先設定が入力された場合、制御部は表示部に対し、第１映像を優先して表示させる。
【０００８】
請求項３の本発明では、入力部に先入力設定が入力された場合、制御部は表示部に対し、Ｓ−ＶＨＳ信号と複合ビデオ信号の中で、先に入力された信号に従う映像を、優先して表示させる。
【０００９】
請求項４の本発明では、入力部にＳ−ＶＨＳ設定が入力され、又は、複合ビデオ設定が入力された場合は、制御部は表示部に対し、各々の入力に従う第１映像または第２映像を表示させる。
【００１０】
請求項５の本発明では、表示部と、表示部を制御する制御部と、制御部に接続された入力部と、Ｓ−ＶＨＳ信号が入力される第１端子と、複合ビデオ信号が入力される第２端子とを備え、入力部に複数映像設定が入力された場合、制御部は表示部に対し、Ｓ−ＶＨＳ信号による第１映像と、複合ビデオ信号による第２映像とによる、ピクチャーインピクチャーを表示させる。
【００１１】
請求項６の本発明では、ピクチャーインピクチャーは、第１映像の中に第２映像が小窓で表示され、又は、第２映像の中に第１映像が小窓で表示され、又は、第１映像および第２映像が上下方向に同時に表示され、又は、第１映像および第２映像が左右方向に同時に表示される。
【発明の効果】
【００１２】
請求項１の本発明では、表示部と、表示部を制御する制御部と、制御部に接続された入力部と、Ｓ−ＶＨＳ信号が入力される第１端子と、複合ビデオ信号が入力される第２端子とを備え、入力部に選択的に入力される事により、制御部は表示部に対し、Ｓ−ＶＨＳ信号による第１映像と、複合ビデオ信号による第２映像を切り替える。上記構成により、使用者の選択により、Ｓ−ＶＨＳ信号に従う第１映像と、複合ビデオ信号に従う第２映像を切り替えることにより、使用者は、自分が好むタイプの第１映像又は第２映像を、任意に選択できる。
【００１３】
請求項２の本発明では、入力部にＳ−ＶＨＳ優先設定が入力された場合、制御部は表示部に対し、第１映像を優先して表示させる。上記構成により、上記設定をした場合、使用者は画質の良い第１映像を見ることができる。
【００１４】
請求項３の本発明では、入力部に先入力設定が入力された場合、制御部は表示部に対し、Ｓ−ＶＨＳ信号と複合ビデオ信号の中で、先に入力された信号に従う映像を、優先して表示させる。上記構成により、上記設定をした場合、使用者は、先に入力された信号に従う映像を見ることができ、使い勝手が向上する。
【００１５】
請求項４の本発明では、入力部にＳ−ＶＨＳ設定が入力され、又は、複合ビデオ設定が入力された場合は、制御部は表示部に対し、各々の入力に従う第１映像または第２映像を表示させる。上記構成により、使用者は手動操作により、第１映像又は第２映像を見ることができ、映像の手動切換が可能となる。
【００１６】
請求項５の本発明では、表示部と、表示部を制御する制御部と、制御部に接続された入力部と、Ｓ−ＶＨＳ信号が入力される第１端子と、複合ビデオ信号が入力される第２端子とを備え、入力部に複数映像設定が入力された場合、制御部は表示部に対し、Ｓ−ＶＨＳ信号による第１映像と、複合ビデオ信号による第２映像とによる、ピクチャーインピクチャーを表示させる。上記構成により、上記設定をした場合、使用者はＳ−ＶＨＳ信号による第１映像と、複合ビデオ信号による第２映像を同時に見ることができ、複数の表示形態を楽しむことができる。
【００１７】
請求項６の本発明では、ピクチャーインピクチャーは、第１映像の中に第２映像が小窓で表示され、又は、第２映像の中に第１映像が小窓で表示され、又は、第１映像および第２映像が上下方向に同時に表示され、又は、第１映像および第２映像が左右方向に同時に表示される。上記構成により、使用者は、第１映像と第２映像との複数の組み合わせ形態を選択できる。また、上記構成では、近年の表示装置に比べ、制御動作が異なるだけである。故に、従来装置の様に、フィルタ等の追加が必要ないので、コストが安い。また、従来装置と異なり、フィルタの調整を行う手間が要らない。
【発明を実施するための最良の形態】
【００１８】
次に、図１の模式図に従い、ＤＶＤに各信号を記録させる事を説明する。ビデオカメラ３，４は共に被写体５を写す。ビデオカメラ３が写した被写体５の正面像は、Ｓ−ＶＨＳ信号に変換され、記録装置（図示せず）により、ＤＶＤ６に記録される。
【００１９】
同様に、ビデオカメラ４が写した被写体５の左側面像は、複合ビデオ信号に変換され、記録装置により、ＤＶＤに記録されている。
【００２０】
図２は、ＤＶＤ再生装置７等の斜視図であり、Ｓ−ＶＨＳ信号用出力端子８と、複合ビデオ信号用出力端子９が設けられている。使用者が所定の操作（入力）する事により、出力端子８からＳ−ＶＨＳ信号が出力し、出力端子９から複合ビデオ信号が出力される様に構成されている。ビデオカメラ３，４と，ＤＶＤ再生装置７は、現在、市販されているものである。
【００２１】
次に、図３のブロック図に従い、本発明の最良の形態に係る表示装置１０を説明する。図３において、第１端子１１の入力側は、例えば、ＤＶＤ再生装置７のＳ−ＶＨＳ信号用出力端子８に接続されている。第１端子１１の出力側は、制御部１２の端子に接続されている。この様に、第１端子１１は、Ｓ−ＶＨＳ信号が入力されるものである。
【００２２】
第２端子１３の入力側は例えば、ＤＶＤ再生装置７の複合ビデオ信号用出力端子９に接続されている。この様に、第２端子１３は、複合ビデオ信号が入力されるものである。
【００２３】
入力部１４は例えば、マウスやキーボード等からなり、制御部１２に接続され、選択的に入力できる様に構成されている。
【００２４】
ＨＤＤはハードディスクドライバであり、制御部１２に接続されている。ＲＡＭ１６はリードオンリーメモリであり、制御部１２に接続されている。ＲＯＭ１６は制御部１２を構成するＣＰＵ１７の制御プログラムを記憶している。
【００２５】
ＲＡＭ１９は、ＣＰＵ１７に接続されており、この表示装置１０の動作に必要なデータを記憶している。
【００２６】
制御部１２は例えば、ＣＰＵ１７と、信号検出部と、画像処理部（共に図示せず）等から構成されている。制御部１２は、入力された画像情報（Ｓ−ＶＨＳ信号や複合ビデオ信号等からなる）を、液晶パネル１９（後述）の画像サイズ（例えば２９インチ）に従う画像データに変換し、伝送器２０に対し、上記データを出力する。
【００２７】
伝送器２０は、入力された画像データを、低レベル差動伝送信号ＬＶＤＳ（Ｌｏｗ  Ｖｏｌｔａｇｅ  Ｄｉｆｆｅｒｅｎｔｉａｌ  Ｓｉｇａｎａｌ）に変換し、上記信号ＬＶＤＳを出力する。
【００２８】
ＤＣ−ＤＣコンバータ２２は、直流電圧（例えば、１４ボルト）が入力されると、所定の各直流電圧（例えば、１２ボルトと５ボルトと３．３ボルト）を出力する部品である。この様にして、ＤＣ−ＤＣコンバータ２２は、制御部２２と、伝送器２０と、駆動部２１等に対し、各々、所定電圧を供給する。
【００２９】
上記第１端子１１と、第２端子１３と、ＲＯＭ１６と、ＲＡＭ１８と、制御部１２と、伝送器２０と、ＤＣ−ＤＣコンバータ２２などは、回路基板２３上に固定されている。
【００３０】
液晶パネル１９は例えば、２枚のガラス板の中に液晶を封入されたものから成る。下ガラス板の表面上に、複数のソース電極と、複数のゲート電極が行列状に形成され、各画素毎に、各ＴＦＴが形成されている。
【００３１】
駆動部２１は例えば、ソースドライバと、ゲートドライバ等からなる。ソースドライバは、上記複数のソース電極に接続されている。ゲートドライバは、上記複数のゲート電極に接続されている。この様に、駆動部２１は、液晶パネル１９に設けられた各ソース電極および各ゲート電極を駆動するものである。
【００３２】
バックライト２４は液晶パネル１９を照光するものである。インバータ２５はバックライト２４を駆動するものである。これらの液晶パネル１９と、駆動部２１と、バックライト２４と、インバータ２５等により、表示部２６は構成されている。上述した様に、制御部１２は表示部２６を制御する。
【００３３】
プラグ２７の出力側は、コネクタ基板２８を介して、第１電源部２９と、第２電源部３０に接続されている。第１電源部２９および第２電源部３０は共に、トランスや整流回路などからなり、所定の電圧を持つ直流電圧を供給するものである。以上の部品により、この表示装置１０は構成されている。以下に、入力部１４が各種設定状態になった場合を説明する。
【００３４】
次に、図１ないし図４に従い、表示装置１０に設けられた表示部２６において、第１表示例を説明する。図４（ａ）は表示部２６において表示された第１映像１の画面、図４（ｂ）は第２映像２の画面を示す。
【００３５】
これらの図において、表示装置１０を構成する第１端子１１には、例えばＤＶＤ再生装置７の出力端子８から、Ｓ−ＶＨＳ信号が供給される。Ｓ−ＶＨＳ信号は、輝度信号（Ｙ）と色信号（Ｃ）とが各々分離された信号である。Ｓ−ＶＨＳ信号は映像として表示された場合、比較的画質が良い映像を与える。
【００３６】
また、第２端子１３には、例えばＤＶＤ再生装置７の出力端子９から、複合ビデオ信号（ＣＶＢＳ）が供給される。複合ビデオ信号とは、輝度信号（Ｙ）と、色信号（Ｃ）とが混合された信号である。複合ビデオ信号は、映像として表示された場合、比較的画質が悪い映像を与える。
【００３７】
そして、使用者は入力部１４において「Ｓ−ＶＨＳ優先設定」の入力を行ったとする。例えば、使用者は、液晶パネル１９上に表示された「Ｓ−ＶＨＳ優先設定」の画面をマウスにてクリックする事により「Ｓ−ＶＨＳ優先設定」の入力がなされる。
【００３８】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００３９】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、「Ｓ−ＶＨＳ優先設定」の入力に従い、「Ｓ−ＶＨＳ優先モード」を選択する。
【００４０】
その結果、制御部１２は、Ｓ−ＶＨＳ信号を取り込み、その信号を、液晶パネル１９の画像サイズ（例えば２９インチ）に従う画像データに変換し、伝送器２０に対し、上記データを出力する。
【００４１】
伝送器２０は入力された上記画像データを、低レベル差動伝送信号ＬＶＤＳに変換し、駆動部３１に対し、上記信号ＬＶＤＳを出力する。
【００４２】
その結果、液晶パネル１９は上記信号ＬＶＤＳに従って、第１映像１を表示する（図４（ａ）参照）。
【００４３】
即ち、入力部１４にＳ−ＶＨＳ優先設定が入力された場合、制御部１２は表示部２６に
対し、Ｓ−ＶＨＳ信号による第１映像１を、優先して表示させる。
【００４４】
次に、使用者は入力部１４において「先入力設定」の入力を行ったとする。例えば、使用者は、液晶パネル１９上に表示された「先入力設定」の画面をマウスにてクリックする事により「先入力設定」の入力がなされる。
【００４５】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００４６】
仮に、制御部１２に対し、複合ビデオ信号の入力が先にあり、Ｓ−ＶＨＳ信号の入力が後に有ったものとする。この時、ＣＰＵ１７はＲＯＭ１６に記憶された表示選択テーブルを検索し、「先入力設定」の入力に従い、「先入力設定モード」を選択する。
【００４７】
その結果、制御部１２は、監視中に見つかった複合ビデオ信号を取り込み、その信号を液晶パネル１９の画像サイズ（例えば２９インチ）に従う画像データに変換し、伝送器２０に対し、上記データを出力する。
【００４８】
伝送器２０は入力された上記画像データを、低レベル差動伝送信号ＬＶＤＳに変換し、駆動部３１に対し、上記信号ＬＶＤＳを出力する。
【００４９】
その結果、液晶パネル１９は上記信号ＬＶＤＳに従って、第２映像２を表示する（図４（ｂ）参照）。
【００５０】
即ち、入力部１４に先入力設定が入力された場合、制御部１２は表示部２６に対し、Ｓ−ＶＨＳ信号と複合ビデオ信号の中で、先に入力された信号に従う映像を、優先して表示させる。そして、複合ビデオ信号の入力が終わると、制御部１２は表示部２６に対し、Ｓ−ＶＨＳ信号による第１映像１を表示させる。
【００５１】
次に、使用者は入力部１４において「Ｓ−ＶＨＳ設定」の入力を行ったとする。例えば、使用者は、液晶パネル１９上に表示された「Ｓ−ＶＨＳ設定」の画面をマウスにてクリックする事により「Ｓ−ＶＨＳ設定」の入力がなされる。
【００５２】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００５３】
仮に、Ｓ−ＶＨＳ信号の入力と、複合ビデオ信号の入力が共に有ったものとする。この時に、ＣＰＵ１７はＲＯＭ１６に記憶された表示選択テーブルを検索し、「Ｓ−ＶＨＳ設定」の入力に従い、「Ｓ−ＶＨＳ設定モード」を選択する。
【００５４】
その結果、制御部１２は、監視中に見つかったＳ−ＶＨＳ信号を取り込み、その信号を液晶パネル１９の画像サイズ（例えば２９インチ）に従う画像データに変換し、伝送器２０に対し、上記データを出力する。
【００５５】
伝送器２０は入力された上記画像データを、低レベル差動伝送信号ＬＶＤＳに変換し、駆動部３１に対し、上記信号ＬＶＤＳを出力する。
【００５６】
その結果、液晶パネル１９は上記信号ＬＶＤＳに従って、第１映像１を表示する（図４（ａ）参照）。
【００５７】
次に、使用者は入力部１４において「複合ビデオ設定」の入力を行ったとする。例えば、使用者は、液晶パネル１９上に表示された「複合ビデオ設定」の画面をマウスにてクリックする事により「複合ビデオ設定」の入力がなされる。
【００５８】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００５９】
仮に、Ｓ−ＶＨＳ信号の入力と、複合ビデオ信号の入力が共に有ったものとする。この時に、ＣＰＵ１７はＲＯＭ１６に記憶された表示選択テーブルを検索し、「複合ビデオ設定」の入力に従い、「複合ビデオ設定モード」を選択する。
【００６０】
その結果、制御部１２は、監視中に見つかった複合ビデオ信号を取り込み、その信号を液晶パネル１９の画像サイズ（例えば２９インチ）に従う画像データに変換し、伝送器２０に対し、上記データを出力する。
【００６１】
伝送器２０は入力された上記画像データを、低レベル差動伝送信号ＬＶＤＳに変換し、駆動部３１に対し、上記信号ＬＶＤＳを出力する。
【００６２】
その結果、液晶パネル１９は上記信号ＬＶＤＳに従って、第２映像２を表示する（図４（ｂ）参照）。
【００６３】
この様に、入力部１４にＳ−ＶＨＳ設定が入力され、又は、複合ビデオ設定が入力された場合、制御部１２は表示部２６に対し、各々の前記入力に従う、第１映像１又は第２映像２を表示させる。
【００６４】
上述したＳ−ＶＨＳ優先設定、先入力設定、Ｓ−ＶＨＳ設定、複合ビデオ設定の場合につき、以下に、まとめを行う。即ち、入力部１４に、選択的に入力される事により、制御部１２は表示部２６に対し、Ｓ−ＶＨＳ信号による第１映像１と、複合ビデオ信号による第２映像２を、切り替えるものである。
【００６５】
次に、図１と図２と図３と図５に従い、表示装置１０に設けられた表示部２６において第２表示例を説明する。図５（ａ）と図５（ｂ）は表示部２６において、第１映像１の中に第２映像２（小窓）を表示した例を示す。
【００６６】
これらの図において、使用者は、液晶パネル１９上に表示された「複数映像設定」と「小窓が第２映像」と「左側」の各画面をマウスにてクリックする事により「複数映像、小窓が第２映像、左」の入力がなされる。
【００６７】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００６８】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、小窓が第２映像、左設定モード」を選択する。
【００６９】
その結果、制御部１２は、監視中に見つかったＳ−ＶＨＳ信号を取り込み、その信号を、液晶パネル１９の画像サイズ（例えば２９インチ）に従う第１画像データに変換すると共に、監視中に見つかった複合ビデオ信号を、液晶パネル１９の左下に位置する第２画像データに変換する。
【００７０】
伝送器２０は入力された上記第１画像データおよび第２画像データを、低レベル差動伝送信号ＬＶＤＳに変換し、駆動部３１に対し、上記信号ＬＶＤＳを出力する。
【００７１】
その結果、液晶パネル１９は上記信号ＬＶＤＳに従って、画像を表示する（図５（ａ）参照）。
【００７２】
この様にして、液晶パネル１９では、画面の左下に、第２映像２（小窓）が位置し、その第２映像２を除いた部分に、第１映像１が位置する様に、画面が表示される。この様に表示部２６において、第１映像１の中に、第２映像２が小窓で表示される。
【００７３】
次に、これらの図において、使用者は液晶パネル１９上に表示された「複数映像設定」と「小窓が第２映像」と「右側」の各画面をマウスにてクリックすることにより「複数映像、小窓が第２映像、右」の入力がなされる。
【００７４】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００７５】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、小窓が第２映像、右設定モード」を選択する。
【００７６】
その結果、制御部１２は、監視中に見つかったＳ−ＶＨＳ信号を取り込み、その信号を、液晶パネル１９の画像サイズ（例えば２９インチ）に従う第１画像データに変換すると共に、監視中に見つかった複合ビデオ信号を、液晶パネル１９の右下に位置する第２画像データに変換する。
【００７７】
伝送器２０は入力された上記第１画像データおよび第２画像データを、低レベル差動伝送信号ＬＶＤＳに変換し、駆動部３１に対し、上記信号ＬＶＤＳを出力する。
【００７８】
その結果、液晶パネル１９は上記信号ＬＶＤＳに従って、画像を表示する（図５（ｂ）参照）。
【００７９】
この様にして、液晶パネル１９では、画面の右下に、第２映像２（小窓）が位置し、その第２映像２を除いた部分に、第１映像１が位置する様に、画面が表示される。この様に、表示部２６において、第１映像１の中に、第２映像２が小窓で表示される。
【００８０】
次に、図１と図２と図３と図６に従い、表示装置１０に設けられた表示部２６において第３表示例を説明する。図６（ａ）と図６（ｂ）は表示部２６において、第２映像２の中に第１映像１（小窓）を表示した例を示す。
【００８１】
これらの図において、使用者は、液晶パネル１９上に表示された「複数映像設定」と「小窓が第１映像」と「右側」の各画面をマウスにてクリックする事により「複数映像、小窓が第１映像、右」の入力がなされる。
【００８２】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００８３】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、小窓が第１映像、右設定モード」を選択する。
【００８４】
その結果、制御部１２は、監視中に見つかった複合ビデオ信号を取り込み、その信号を、液晶パネル１９の画像サイズ（例えば２９インチ）に従う第２画像データに変換すると共に、監視中に見つかったＳ−ＶＨＳ信号を、液晶パネル１９の右下に位置する第１画像データに変換する。
【００８５】
伝送器２０は入力された上記第１画像データおよび第２画像データを、低レベル差動伝送信号ＬＶＤＳに変換し、駆動部３１に対し、上記信号ＬＶＤＳを出力する。
【００８６】
その結果、液晶パネル１９は上記信号ＬＶＤＳに従って、画像を表示する（図６（ａ）参照）。
【００８７】
この様にして、液晶パネル１９では、画面の右下に、第１映像１（小窓）が位置し、その第１映像１を除いた部分に、第２映像２が位置する様に、画面が表示される。この様に、表示部２６において、第２映像２の中に、第１映像１が小窓で表示される。
【００８８】
次に、これらの図において、使用者は液晶パネル１９上に表示された「複数映像設定」と「小窓が第１映像」と「左側」の各画面をマウスにてクリックすることにより「複数映像、小窓が第１映像、左」の入力がなされる。
【００８９】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００９０】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、小窓が第１映像、左設定モード」を選択する。
【００９１】
その結果、制御部１２は、監視中に見つかった複合ビデオ信号を取り込み、その信号を、液晶パネル１９の画像サイズ（例えば２９インチ）に従う第２画像データに変換すると共に、監視中に見つかったＳ−ＶＨＳ信号を、液晶パネル１９の左下に位置する第１画像データに変換する。
【００９２】
伝送器２０は入力された上記第１画像データおよび第２画像を、低レベル差動伝送信号ＬＶＤＳに変換し、駆動部３１に対し、上記信号ＬＶＤＳを出力する。
【００９３】
その結果、液晶パネル１９は上記信号ＬＶＤＳに従って、画像を表示する（図６（ｂ）参照）。
【００９４】
この様にして、液晶パネル１９では、画面の左下に、第１映像１（小窓）が位置し、その第１映像１を除いた部分に、第２映像２が位置する様に、画面が表示される。この様に表示部２６において、第２映像２の中に、第１映像１が小窓で表示される。
【００９５】
次に、図１と図２と図３と図７に従い、表示装置１０に設けられた表示部２６において第４表示例を説明する。図７（ａ）と図７（ｂ）は表示部２６において、第１映像１と、第２映像２とが上下に同時に表示された例を示す。
【００９６】
これらの図において、使用者は、液晶パネル１９上に表示された「複数映像設定」と「上が第１映像」の各画面をマウスにてクリックする事により「複数映像、上が第１映像」の入力がなされる。
【００９７】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【００９８】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、上が第１映像設定モード」を選択する。
【００９９】
その結果、制御部１２は、監視中に見つかったＳ−ＶＨＳ信号を取り込み、その信号を、液晶パネル１９の上半分の画像サイズに従う第１画像データに変換すると共に、監視中に見つかった複合ビデオ信号を、液晶パネル１９の下半分に位置する第２画像データに変換する。
【０１００】
伝送器２０は入力された上記第１画像データおよび第２画像データを、低レベル差動伝送信号ＬＶＤＳに変換し、駆動部３１に対し、上記信号ＬＶＤＳを出力する。
【０１０１】
その結果、液晶パネル１９は上記信号ＬＶＤＳに従って、画像を表示する（図７（ａ）参照）。
【０１０２】
この様にして、液晶パネル１９では、画面の上半分に、第１映像１が位置し、画面の下半分に、第２映像２が位置する様に、画面が表示される。また、第１映像１の左右と、第２映像２の左右に、黒色部分（非表示部分）を設けても良い。
【０１０３】
次に、これらの図において、使用者は液晶パネル１９上に表示された「複数映像設定」と「下が第１映像」の各画面をマウスにてクリックする事により「複数映像、下が第１映像」の入力がなされる。
【０１０４】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【０１０５】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、下が第１映像設定モード」を選択する。
【０１０６】
その結果、制御部１２は、監視中に見つかったＳ−ＶＨＳ信号を取り込み、その信号を、液晶パネル１９の下半分の画像サイズに従う第１画像データに変換すると共に、監視中に見つかった複合ビデオ信号を、液晶パネル１９の上半分に位置する第２画像データに変換する。
【０１０７】
伝送器２０は入力された上記第１画像データおよび第２画像データを、低レベル差動伝送信号ＬＶＤＳに変換し、駆動部３１に対し、上記信号ＬＶＤＳを出力する。
【０１０８】
その結果、液晶パネル１９は上記信号ＬＶＤＳに従って、画像を表示する（図７（ｂ）参照）。
【０１０９】
この様にして、液晶パネル１９では、画面の下半分に、第１映像１が位置し、画面の上半分に、第２映像２が位置する様に、画面が表示される。また、第１映像１の左右と、第２映像２の左右に、黒色部分（非表示部分）を設けても良い。この様に、第１映像１と、第２映像２は上下方向に、同時に表示される。
【０１１０】
次に、図１と図２と図３と図８に従い、表示装置１０に設けられた表示部２６において第５表示例を説明する。図８（ａ）と図８（ｂ）は表示部２６において、第１映像１と、第２映像２とが左右に同時に表示された例を示す。
【０１１１】
これらの図において、使用者は、液晶パネル１９上に表示された「複数映像設定」と「左が第１映像」の各画面をマウスにてクリックする事により「複数映像、左が第１映像」の入力がなされる。
【０１１２】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【０１１３】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、左が第１映像設定モード」を選択する。
【０１１４】
その結果、制御部１２は、監視中に見つかったＳ−ＶＨＳ信号を取り込み、その信号を、液晶パネル１９の左半分の画像サイズに従う第１画像データに変換すると共に、監視中に見つかった複合ビデオ信号を、液晶パネル１９の右半分に位置する第２画像データに変換する。
【０１１５】
伝送器２０は入力された上記第１画像データおよび第２画像データを、低レベル差動伝送信号ＬＶＤＳに変換し、駆動部３１に対し、上記信号ＬＶＤＳを出力する。
【０１１６】
その結果、液晶パネル１９は上記信号ＬＶＤＳに従って、画像を表示する（図８（ａ）参照）。
【０１１７】
この様にして、液晶パネル１９では、画面の左半分に、第１映像１が位置し、画面の右半分に、第２映像２が位置する様に、画面が表示される。また、第１映像１の上下と、第２映像２の上下に、黒色部分（非表示部分）を設けても良い。
【０１１８】
次に、これらの図において、使用者は液晶パネル１９上に表示された「複数映像設定」と「右が第１映像」の各画面をマウスにてクリックする事により「複数映像、右が第１映像」の入力がなされる。
【０１１９】
この時、制御部１２に設けられた信号処理部は、Ｓ−ＶＨＳ信号と複合ビデオ信号が制御部１２に入力したか否かを、周期的に監視している。なお、ＣＰＵ１７がこの監視を行っても良い。
【０１２０】
仮に、Ｓ−ＶＨＳ信号の入力と、複合ビデオ信号の入力が共に有ったものとする。この時、ＣＰＵ１７はＲＯＭ１６に記憶された表示選択テーブルを検索し、上記入力に従い、「複数映像、右が第１映像設定モード」を選択する。
【０１２１】
その結果、制御部１２は、監視中に見つかったＳ−ＶＨＳ信号を取り込み、その信号を、液晶パネル１９の右半分の画像サイズに従う第１画像データに変換すると共に、監視中に見つかった複合ビデオ信号を、液晶パネル１９の左半分に位置する第２画像データに変換する。
【０１２２】
伝送器２０は入力された上記第１画像データおよび第２画像データを、低レベル差動伝送信号ＬＶＤＳに変換し、駆動部３１に対し、上記信号ＬＶＤＳを出力する。
【０１２３】
その結果、液晶パネル１９は上記信号ＬＶＤＳに従って、画像を表示する（図８（ｂ）参照）。
【０１２４】
この様にして、液晶パネル１９では、画面の右半分に、第１映像１が位置し、画面の左半分に、第２映像２が位置する様に、画面が表示される。また、第１映像１の上下と、第２映像２の上下に、黒色部分（非表示部分）を設けても良い。この様に、第１映像１および第２映像２が左右方向に、同時に表示される。
【０１２５】
上記表示の特徴を、以下にまとめる。入力部１４に、複数映像設定が入力された場合、制御部１２は表示部２６に対し、Ｓ−ＶＨＳ信号による第１映像１と、複合ビデオ信号による第２映像２とによるピクチャーインピクチャーを表示させる。ピクチャーインピクチャーとは、図５ないし図８に示した様に、表示部２６において、第１映像１と第２映像２とが同時に表示される事である。
【図面の簡単な説明】
【０１２６】
【図１】ＤＶＤ６に各信号を記録させる事を説明するための模式図である。
【図２】ＤＶＤ再生装置７等の斜視図である。
【図３】本発明の最良の形態に係る表示装置１０のブロック図である。
【図４】図４（ａ）は、上記表示装置１０に設けられた表示部２６において、表示された第１映像１の画面を示し、図４（ｂ）は上記表示部２６において、表示された第２映像２の画面を示す。
【図５】図５（ａ）は、上記表示部２６において、第２映像２が左下に位置する第１映像１の表示例を示し、図５（ｂ）は、上記表示部２６において、第２映像２が右下に位置する第１映像１の表示例を示す。
【図６】図６（ａ）は、上記表示部２６において、第１映像１が右下に位置する第２映像２の表示例を示し、図６（ｂ）は、上記表示部２６において、第１映像１が左下に位置する第２映像２の表示例を示す。
【図７】図７（ａ）は、上記表示部２６において、第１映像１が上に位置し、第２映像２が下に位置する表示例を示し、図７（ｂ）は、上記表示部２６において、第２映像２が上に位置し、第１映像１が下に位置する表示例を示す。
【図８】図８（ａ）は、上記表示部２６において、第１映像１が左に位置し、第２映像２が右に位置する表示例を示し、図８（ｂ）は、上記表示部２６において、第１映像１が右に位置し、第２映像２が左に位置する表示例を示す。
【符号の説明】
【０１２７】
１１  第１端子
１２  制御部
１３  第２端子
１４  入力部
２６  表示部
【図１】
2005109820.tif 000003
【図２】
2005109820.tif 000004
【図３】
2005109820.tif 000005
【図４】
2005109820.tif 000006
【図５】
2005109820.tif 000007
【図６】
2005109820.tif 000008
【図７】
2005109820.tif 000009
【図８】
2005109820.tif 000010